(57)【要約】【課題】美顔器において、液体を噴霧する噴霧ノズルや、噴霧ノズルに液体を導く液体供給路内、特に、液体流量調整のための径小管路内を洗浄可能とする。【解決手段】タンク内の液体をベンチュリー機構２１の液体供給側開口２２に導く液体供給路２３と、ベンチュリー機構２１のエアー供給側開口２５にエアーを供給し、液体供給路２３内に負圧を発生させることにより噴霧ノズル３から液体を噴霧させる吐出ポンプと、を備え、液体供給路２３に流量調整用の径小管路２４を備え、径小管路２４を含む液体供給路２３の洗浄動作時に、通常の噴霧動作時とは異なる液体又はエアーの流れを液体供給路２３内に生じさせ、その液体又はエアーの流れによって径小管路２４内を洗浄可能とした。【選択図】図４
2005342135.tif 000002
【特許請求の範囲】
【請求項１】
肌に当接して皮脂や汚れを吸引する吸引ノズルと、前記吸引ノズルに吸引力を発生するための吸引ポンプと、前記吸引ノズルの周囲位置に液体を噴霧するベンチュリー機構を持つ噴霧ノズルと、前記噴霧ノズルに供給する液体を貯蔵するタンクと、前記タンク内の液体を前記ベンチュリー機構の液体供給側開口に導く液体供給路と、前記ベンチュリー機構のエアー供給側開口にエアーを供給し、前記液体供給路内に負圧を発生させることにより前記噴霧ノズルから液体を噴霧させる吐出ポンプと、を備えた美顔器において、
前記液体供給路に流量調整用の径小管路を備え、
前記径小管路を含む液体供給路の洗浄動作時に、通常の噴霧動作時とは異なる液体又はエアーの流れを該液体供給路内に生じさせ、その液体又はエアーの流れによって径小管路内を洗浄可能としたことを特徴とする美顔器。
【請求項２】
前記洗浄動作時に、前記吐出ポンプから供給されるエアーの流速を高め、前記液体供給路に発生する負圧を増加させることを特徴とする請求項１記載の美顔器。
【請求項３】
前記吐出ポンプの内容積を可変にする機構を有し、該ポンプの排気量を大きくすることを特徴とする請求項２記載の美顔器。
【請求項４】
エアーの流速を高める手段として、前記タンクの内圧を正圧にする圧力可変装置を有したことを特徴とする請求項２記載の美顔器。
【請求項５】
前記吐出ポンプから噴霧ノズルに供給されたエアーが、通常の噴霧状態とは異なり、前記液体供給路側に供給されるように流路を変更する機構を有し、前記洗浄動作時には、前記機構を動作させて、液体供給路内に液体又はエアーを通常とは逆方向に流すことを特徴とする請求項１記載の美顔器。
【請求項６】
前記流路を変更する機構として、前記タンク内の圧力を負圧にする圧力可変装置を有したことを特徴とする請求項５記載の美顔器。
【請求項７】
前記流路を変更する機構として、前記噴霧ノズルの噴霧口側を閉じる開閉弁を有したことを特徴とする請求項５記載の美顔器。
【請求項８】
前記流路を変更する機構として、前記噴霧ノズルのベンチュリー機構の外殻に柔軟材を用い、前記洗浄動作時に外殻が押圧操作されることで前記噴霧ノズルの噴霧口側を狭小にすることを特徴とする請求項５記載の美顔器
【請求項９】
前記流路を変更する機構として、前記洗浄動作時にベンチュリー機構のエアー供給路と液体供給路とを繋ぐことが可能な経路可変機構を有したことを特徴とする請求項５記載の美顔器
【請求項１０】
前記流路を変更する機構として、ベンチュリー機構のエアー供給路に、噴霧口より径大口を側面に持つ作動体を設け、前記洗浄動作時には、前記作動体の移動により前記径大口が前記液体供給路に連通するようにしたことを特徴とする請求項５記載の美顔器
【請求項１１】
前記吐出ポンプと噴霧ノズル間に、エアー供給路と液体供給路とを繋ぐことのできるバイパス経路を設け、前記洗浄動作時に前記噴霧ノズルに向かう経路を塞ぐ機構を有したことを特徴とする請求項５記載の美顔器。
【請求項１２】
吸引動作から洗浄動作へのモード切替が自動で行われるようにしたことを特徴とする請求項１乃至請求項１１のいずれかに記載の美顔器。
【発明の詳細な説明】
【技術分野】
【０００１】
本発明は、皮脂や肌の汚れを吸引により除去し、かつ、その箇所に液体を噴霧する機能を有する美顔器における液体供給路の洗浄に関する。
【背景技術】
【０００２】
従来から、この種の美顔器は、例えば特許文献１に示されるように、知られている。この種の美顔器においては、吸引口周辺に液体を噴霧する噴霧ノズルは、内径が非常に小さく、タンクに水を供給する際にエアー中のゴミ等が混入し、ゴミが液体供給路に堆積すると、噴霧ノズルへの液体供給量が低下し、最悪の場合、ミストが出なくなる恐れがある。従来は、経路にゴミの進入を防ぐためのメッシュフィルターを設けていたが、メッシュフィルターを通過する微細なゴミは防ぐことができなかった。
【特許文献１】特開２００１−１６１４３８号公報
【発明の開示】
【発明が解決しようとする課題】
【０００３】
特に、液体流量調整のため液体供給路が狭小の場合、微細なゴミの存在により、液体供給路が詰まり易いという問題があった。
本発明は、上記問題を解消するものであり、液体を噴霧する噴霧ノズルや、噴霧ノズルに液体を導く液体供給路内、特に、液体流量調整のための径小管路内を洗浄可能とした美顔器を提供することを目的とする。
【課題を解決するための手段】
【０００４】
上記目的を達成するために本発明は、肌に当接して皮脂や汚れを吸引する吸引ノズルと、前記吸引ノズルに吸引力を発生するための吸引ポンプと、前記吸引ノズルの周囲位置に液体を噴霧するベンチュリー機構を持つ噴霧ノズルと、前記噴霧ノズルに供給する液体を貯蔵するタンクと、前記タンク内の液体を前記ベンチュリー機構の液体供給側開口に導く液体供給路と、前記ベンチュリー機構のエアー供給側開口にエアーを供給し、前記液体供給路内に負圧を発生させることにより前記噴霧ノズルから液体を噴霧させる吐出ポンプと、を備えた美顔器において、前記液体供給路に流量調整用の径小管路を備え、前記径小管路を含む液体供給路の洗浄動作時に、通常の噴霧動作時とは異なる液体又はエアーの流れを該液体供給路内に生じさせ、その液体又はエアーの流れによって径小管路内を洗浄可能としたものである。
【０００５】
前記洗浄動作時に、吐出ポンプから供給されるエアーの流速を高め、液体供給路に発生する負圧を増加させるものとしてもよい。
【０００６】
洗浄動作用に前記吐出ポンプの内容積を可変にする機構を有し、該ポンプの排気量を大きくするものとしてもよい。
【０００７】
エアーの流速を高める手段として、前記タンクの内圧を正圧にする圧力可変装置を有してもよい。
【０００８】
前記吐出ポンプから噴霧ノズルに供給されたエアーが、通常の噴霧状態とは異なり、前記液体供給路側に供給されるように流路を変更する機構を有し、洗浄動作時には、前記機構を動作させて、液体供給路内に液体又はエアーを通常とは逆方向に流すものとしてもよい。
【０００９】
前記流路を変更する機構として、前記タンク内の圧力を負圧にする圧力可変装置を有してもよい。
【００１０】
前記流路を変更する機構として、前記噴霧ノズルの噴霧口側を閉じる開閉弁を有したものとしてもよい。
【００１１】
前記流路を変更する機構として、前記噴霧ノズルのベンチュリー機構の外殻に柔軟材を用い、前記洗浄動作時に外殻が押圧操作されることで前記噴霧ノズルの噴霧口側を狭小にするものとしてもよい。
【００１２】
前記流路を変更する機構として、洗浄動作時にベンチュリー機構のエアー供給路と液体供給路とを繋ぐことが可能な経路可変機構を有したものとしてもよい。
【００１３】
前記流路を変更する機構として、ベンチュリー機構のエアー供給路に、噴霧口より径大口を側面に持つ作動体を設け、洗浄動作時には、前記作動体の移動により前記径大口が前記液体供給路に連通するようにしてもよい。
【００１４】
前記吐出ポンプと噴霧ノズル間に、エアー供給路と液体供給路とを繋ぐことのできるバイパス経路を設け、洗浄動作時に前記噴霧ノズルに向かう経路を塞ぐ機構を有したものとしてもよい。
【００１５】
吸引動作から洗浄動作へのモード切替が自動で行われるようにしてもよい。
【発明の効果】
【００１６】
本発明によれば、噴霧ノズルに液体を導く液体供給路内に、通常の噴霧動作時とは異なる液体又はエアーの流れを生じさせ、その流れによって液体供給路内、特に、液体流量調整のための径小管路内を洗浄することができる。
【発明を実施するための最良の形態】
【００１７】
以下、本発明の一実施形態に係る美顔器について図面を参照して説明する。図１乃至図４は、美顔器の構成を示す。これらの図において、美顔器は、利用者の肌に当接して皮脂や汚れを吸引する吸引ノズル１と、吸引ノズル１に吸引力を発生するための吸引ポンプ２と、吸引ノズル１の周囲位置に液体を噴霧するベンチュリー機構を持つ噴霧ノズル３と、噴霧ノズル３に供給する液体を貯蔵するタンク４と、タンク４内の液体を噴霧ノズル３におけるベンチュリー機構２１の液体供給側開口２２に導く液体供給路２３と、噴霧ノズル３から液体を噴霧させる吐出ポンプ５と、を備えている。
【００１８】
吐出ポンプ５は、図４に示すように、エアー供給路２６を経てベンチュリー機構２１のエアー供給側開口２５にエアーを供給し、ベンチュリー効果によって液体供給路２３内に負圧を発生させることにより、噴霧ノズル３の噴霧口３１から液体を霧状にして噴霧させる。液体供給路２３は、噴霧ノズル３に向かって配置された管路２３Ａと、タンク４側に配置された流量調整用の径小管路２４とを有する。
【００１９】
美顔器は、本体のハウジング１０内に上記各部材のほか、吸引ポンプ２及び吐出ポンプ５を駆動するモータ１１や電池１２等が内装されている。ハウジング１０の外面に設けたスイッチを操作してモータ１１を駆動すると、モータ１１の出力軸１３の回転にて出力軸１３に取り付けた偏心軸１４が偏心運動をし、偏心軸１４の偏心運動にてダイヤフラム１５が往復駆動されて吸引ポンプ２及び吐出ポンプ５が動作するようになっている。吸引ノズル１と吸引ポンプ２との間には吸引エアーが逆流するのを防止する吸引弁１９を設けてある。なお、図１、図２の断面には、図３に示した噴霧ノズル３へ液体を導く液体供給路２３は表れていない。
【００２０】
上記構成の美顔器においては、吸引ノズル１の先端を肌に当接し、吸引ノズル１内を減圧状態にすると、肌が吸い込まれて皮脂や肌の汚れの除去やマッサージを行うことができる。この吸引時に、常時、噴霧ノズル３の噴霧口３１から微量の液体を噴霧（ミスト）することで、肌の滑り性及び密着性を向上させるようにしている。
【００２１】
このように、噴霧ノズル３に微量の液体を流量調整して与えるために、噴霧ノズル３や液体供給路２３は径小としている。このため、噴霧ノズル３や液体供給路２３の径小管路２４に、ゴミ等が付着し易い。そうなると、液体噴霧能力に支障をきたすことになる。そこで、本発明の美顔器では、噴霧ノズル３及びベンチュリー機構の管路、特には、液体供給路２３の径小管路２４を洗浄可能とし、それにより、液体噴霧能力を維持できるようにしている。以下、噴霧ノズル３及び径小管路２４を含む液体供給路２３の洗浄動作（以下、総称して、液体供給路の洗浄動作という）を行う手法について説明する。
【００２２】
液体供給路の洗浄方法として考えられることは、洗浄動作時に、通常の噴霧動作時とは異なる液体又はエアーの流れを液体供給路２３に生じさせ、その液体又はエアーの流れによって径小管路２４内を洗浄することである。
【００２３】
液体供給路の洗浄方法の一つとして、洗浄動作時に、吐出ポンプ５から供給されるエアーの流速を高め、液体供給路２３に発生する負圧を増加させることである。すなわち、図５に示すように、ベンチュリー機構２１を持つ噴霧ノズル３のエアー供給路２６に速度の速いエアーＶ１を流入させ、もう一方の液体供給路２３に発生する負圧を高め、その圧力を利用してタンク４側から速度の速い流体Ｖ２を流入させ、径小管路２４のゴミを除去する方法である。
【００２４】
ベンチュリー機構２１を持つ噴霧ノズル３に大きい負圧を発生させるには、エアー供給路２６に流入させるエアーの速度を高める必要がある。具体的に、エアー流速を高める方法を考えると、エアーを送り出すポンプ５の排気量を上げる方法がある。ちなみに、Ｑ＝Ａ×Ｖであり、Ｑ：エアー流量＜＝排気量＞、Ａ：管路断面積、Ｖ：エアー流速、Ａが一定のとき、Ｑを上げるとＶが上がる。また、Ｑが一定のとき、Ａが小さいほど、Ｖは大きくなる。すなわち、噴霧ノズル３のエアーと液体を混合させる分岐点におけるエアー管路の径を狭小にすることによって、噴霧ノズル３から噴出するエアーの流速を高めることができる。
【００２５】
具体的に、吐出ポンプ５の排気量を上げる方法として、ダイヤフラム機構を用いたポンプ５を駆動させているモータ１１の出力軸１３の偏芯量を大きくする方法が考えられる。すなわち、ポンプ５においてモータ１１の出力軸１３の偏芯量を大きくすると、ポンプ５を形成しているダイヤフラム１５内の容積の可変量が大きくなることとなり、その結果、ポンプ５の排気量は上がる。この方法は、図６に示すように、例えば、偏芯軸をピン状偏芯軸１４Ａとし、モータ１１の位置を可動にすることで達成できる。１６Ａ，１６Ｂは軸受である。Ｄはモータ可動範囲を示す。
【００２６】
また、ポンプ５を駆動させているモータ１１の回転数を上げる方法も考えられる。回転数を上げると、一定時間におけるダイヤフラム１５の伸縮回数が増加し、ポンプの排気量Ｑ＝Ｓ×ｎ（Ｓ＝ポンプ内容積、ｎ＝回転数）であり、ポンプの排気量が上がる。これらの方法は外観を大きく変える必要がなく、省スペースで実現できる。
【００２７】
また、図７、図８に示すように、タンク４内を完全にシールし、タンク内圧を可変する圧力可変装置（ポンプ）１７を設置する方法も考えられる。このポンプ１７によってタンク４内の圧力を正圧にした場合、タンク４は密閉されているので、エアー又は液体はタンク４から液体供給路２３を構成する径小管路２４、管路２３Ａを経て噴霧ノズル３に向かって流れ、径小管路２４や管路２３Ａのゴミを噴霧ノズル３外に向かって押し出すことが可能である。このとき、管路２３Ａの途中に開閉弁２８と、取り外し可能なゴミ集積部２９を設けることで、ゴミを取り除くことができる。圧力可変装置１７は、洗浄機能用に設けられたものであり、タンク４内の流体を吸排する機構を持つピストン型、ダイヤフラム型等のポンプを用いればよい。
【００２８】
次に、液体供給路の洗浄方法のもう一つが、吐出ポンプ５から噴霧ノズル３に供給されたエアーが、通常の噴霧状態とは異なり、液体供給路２３側に供給されるように流路を変更する機構を設け、洗浄動作時に、その機構を動作させて、液体供給路２３内に液体又はエアーを通常とは逆方向に流すことである。以降では、この方法を逆流洗浄と呼ぶ。
【００２９】
逆流洗浄の一例を図９に示す。吐出ポンプ５からエアー供給路２６を通って供給されたエアーが、噴霧口３１から外に流出しないように、噴霧口３１を塞ぐ手段３２（流路を変更する機構）を設ける。これにより、エアーを液体供給路２３側に導き、エアー又は液体を逆流させることができ、径小管路２４を洗浄することができる。噴霧口３１を塞ぐ手段３２は、噴霧ノズル３の噴霧口３１先端から液体供給側開口（分岐点）までの経路中の任意の位置に設ければよい。
【００３０】
また、上述図８に示した構成と同様であるが、圧力可変装置（ポンプ）１７の内圧を負圧にすることでも、流路を変更することができる。すなわち、図１０に示すように、ポンプ１７の負圧によりタンク４の内圧を負圧にした場合、エアーは噴霧ノズル３からタンク４に向かって流れ、径小管路２４のゴミはタンク４に向かって押し戻される。このとき、ポンプ１７の排気口にゴミ集積部２９を設けることで、管路のゴミを取り除くことができる。管路とポンプ１７の吸気口側にゴミ集積部を設けてもよい。上述図８及び図１０に示した方法の利点は、正圧、負圧の両方において洗浄が可能となることと、ポンプ１７を用いて噴霧ノズル３に向かって流出する水の流量も調節することができ、より正確にミスト量を制御可能となることである。
【００３１】
逆流洗浄を行う具体的なその他の手段として、図１１に示すように、噴霧ノズル３の噴霧口３１と水管分岐点の間に開閉弁３３を設け、洗浄動作時には噴霧口３１側を閉じることにより、ポンプ５から発生したエアーを直接、液体供給路２３に導くことができる。この方法では、例えば、開閉弁３３を可動させるためのツマミを外殻に設け、ツマミと開閉弁３３を連結することで、手動洗浄を行うことができる。また、電磁石３４等を用いて開閉弁３３を開閉することで、自動洗浄を行うことが可能となる。
【００３２】
また、図１２に示すように、噴霧ノズル３の噴霧口３１を開閉するシャッター機構３５を設け、同シャッター機構３５に連動するプッシュボタン３６を本体外部に設けてもよい。洗浄動作時には、同ボタン３６を押すことで、同シャッター機構３５がスライド斜面で押されて上昇し、噴霧口３１を完全にシールすることにより、逆流洗浄を行うことができる。３７はバネである。
【００３３】
また、図１３に示すように、噴霧ノズル３のベンチュリー機構の外殻と水管分岐点間の経路を柔軟材３８で構成し、本体外部に柔軟材３８を圧縮できるようなプッシュボタン３６等を設けておく。洗浄動作時には、同ボタン３６を押し、柔軟材３８によるエアー供給路２６の経路を、液体供給路２３よりも狭小にすることにより、ポンプ５から発生したエアーは径大である液体供給路２３側に導かれ、エアーの逆流現象を起こすことができる。
【００３４】
また、図１４に示すように、噴霧ノズル３内に経路可変機構３９を設け、洗浄動作時には噴霧ノズル３のエアー供給路２６と液体供給路２３を直接、繋ぐことによる逆流洗浄方法も考えられる。経路可変機構３９を円筒型にし、外部より回転させる方法によって、手動洗浄が可能となり、また、モータ等によって経路可変機構３９の回転を制御することで、自動洗浄も可能である。
【００３５】
また、図１５に示すように、ベンチュリー機構のエアー供給路２６内に、噴霧口３１より径大口４２を側面に持つ作動体４１を設け、前記洗浄動作時には、前記作動体の移動により径大口４２が液体供給路２３に連通するようにしてもよい。これにより、ポンプ５から発生したエアーは液体供給路２３の方へ導かれ、逆流現象が起こる。この場合も、作動体４１を手動で動かす方法と、自動で動かす方法の両方が可能である。
【００３６】
また、図１６に示すように、上述図１５と同様の機構において、洗浄動作時に、径大口４２と液体供給路２３を繋ぐと同時に、噴霧口３１を塞ぐことも可能である。
【００３７】
また、図１７（ａ）に示すように、ポンプ５と噴霧ノズル３間にエアー供給路２６と液体供給路２３を直接、繋ぐバイパス管路５１を設け、バイパス経路５１の両端に開閉弁５２，５３を設けておき、洗浄動作時には、ポンプ５から噴霧ノズル３に向かう方のエアー供給路２６を閉じると共に噴霧ノズル３側に向かう管路２３Ａを閉じることで、ポンプ５から発生したエアーはバイパス管路５１を通って径小管路２４よりタンク４に向かって流れ、径小管路２４の逆流洗浄が可能となる。
【００３８】
なお、図１７（ｂ）に示すように、バイパス経路５１の液体供給の管路２３Ａとの連結点から、噴霧ノズル３に向かう液体供給の経路２３Ｂを狭小にすることで、バイパス経路５１のエアー供給路２６との連結点側のみに開閉弁５２を設けることでも、逆流洗浄が可能である。
【００３９】
また、図１８に示すように、噴霧ノズル３の噴霧口３１を開閉するシャッター機構３５を空気圧シリンダ５５により駆動できるようにしておき、本体のスイッチをオフにすると同時に、洗浄機能に移行し、ポンプ５と空気圧シリンダ５５が作動して、自動で液体供給路２３の逆流洗浄を行うものとしてもよい。この構成により、美顔器を使用して皮脂の吸引を行った後、本体のスイッチをオフにすれば、自動的に洗浄動作へモード切替が行われる。
【００４０】
図１９は、美顔器のミスト噴出動作と洗浄の各動作のフローを示す。ここでは、本体のスイッチと洗浄スイッチとを備えた例を示しており、各スイッチのオン・オフで各動作を行うことができる。
【００４１】
本発明は、上記実施例の構成に限られることなく、発明の趣旨を変更しない範囲で種々の変形が可能である。上記では、液体供給路の径小管路２４の洗浄動作を主として述べたが、噴霧ノズル３の流路の洗浄も併せて行うことができる。
【図面の簡単な説明】
【００４２】
【図１】本発明の一実施形態に係る美顔器の側断面図。
【図２】同美顔器の拡大側断面図。
【図３】図２のＡ−Ａ断面図。
【図４】同美顔器の噴霧ノズル部の断面図。
【図５】同美顔器の噴霧ノズル部のベンチュリー機能を示す断面図。
【図６】（ａ）（ｂ）は同美顔器の偏心量可変の実施形態を示す側断面図。
【図７】同美顔器のタンク内圧可変の実施形態を示す側断面図。
【図８】同美顔器のタンク内圧可変の実施形態を示す噴霧ノズル部の断面図。
【図９】同美顔器の逆流洗浄を行う実施形態を示す噴霧ノズル部の断面図。
【図１０】同美顔器の逆流洗浄を行う実施形態を示す噴霧ノズル部の断面図。
【図１１】同美顔器の逆流洗浄を行う実施形態を示す噴霧ノズル部の断面図。
【図１２】（ａ）（ｂ）は同美顔器の逆流洗浄を行う実施形態を示す噴霧ノズル部の断面図。
【図１３】（ａ）（ｂ）は同美顔器の逆流洗浄を行う実施形態を示す噴霧ノズル部の断面図。
【図１４】（ａ）（ｂ）（ｃ）（ｄ）は同美顔器の逆流洗浄を行う実施形態を示す噴霧ノズル部の断面図。
【図１５】（ａ）（ｂ）は同美顔器の逆流洗浄を行う実施形態を示す噴霧ノズル部の断面図。
【図１６】（ａ）（ｂ）は同美顔器の逆流洗浄を行う実施形態を示す噴霧ノズル部の断面図。
【図１７】（ａ）（ｂ）は同美顔器の逆流洗浄を行う実施形態を示す噴霧ノズル部の断面図。
【図１８】（ａ）（ｂ）は同美顔器の逆流洗浄を行う実施形態を示す噴霧ノズル部の断面図。
【図１９】同美顔器のミスト噴出動作と洗浄の動作のフロー図。
【符号の説明】
【００４３】
１  吸引ノズル
２  吸引ポンプ
３  噴霧ノズル
４  タンク
５  吐出ポンプ
１７  圧力可変装置（ポンプ）
２１  ベンチュリー機構
２２  液体供給側開口
２３  液体供給路
２３Ａ  管路
２４  流量調整用の径小管路
２５  エアー供給側開口
２６  エアー供給路
３１  噴霧口
３２  噴霧口３１を塞ぐ手段（流路を変更する機構）
３３  開閉弁
３５  シャッター機構
３８  柔軟材
３９  経路可変機構
４１  作動体
４２  径大口
５１  バイパス管路
【図１】
2005342135.tif 000003
【図２】
2005342135.tif 000004
【図３】
2005342135.tif 000005
【図４】
2005342135.tif 000006
【図５】
2005342135.tif 000007
【図６】
2005342135.tif 000008
【図７】
2005342135.tif 000009
【図８】
2005342135.tif 000010
【図９】
2005342135.tif 000011
【図１０】
2005342135.tif 000012
【図１１】
2005342135.tif 000013
【図１２】
2005342135.tif 000014
【図１３】
2005342135.tif 000015
【図１４】
2005342135.tif 000016
【図１５】
2005342135.tif 000017
【図１６】
2005342135.tif 000018
【図１７】
2005342135.tif 000019
【図１８】
2005342135.tif 000020
【図１９】
2005342135.tif 000021